(57)【要約】      （修正有）【課題】所望の正確な位置でその位置に応じた情報を提示し、しかも当該位置での設置スペースを少なくて済む情報呈示システム、携帯型情報呈示装置、記録媒体及びプログラムを提供する。【解決手段】情報提示システム１は、携帯型情報提示装置２と、所定箇所に設置され所定の情報が記録された記録媒体３と、を備える。携帯型情報提示装置２は、携帯型情報提示装置２を記録媒体３に接近させた状態で記録媒体３に記録されている所定の情報を読み取る情報読み取り手段と、情報読み取り手段により記録媒体３から読み取られた所定の情報を提示する情報提示手段とを有する。【選択図】図１
2020112368.tif 000002
【特許請求の範囲】
【請求項１】
携帯型情報提示装置と、
所定箇所に設置され所定の情報が記録された記録媒体と、
を備え、
前記携帯型情報提示装置は、前記携帯型情報提示装置を前記記録媒体に接近させた状態で前記記録媒体に記録されている前記所定の情報を読み取る情報読み取り手段と、前記情報読み取り手段により前記記録媒体から読み取られた前記所定の情報を提示する情報提示手段とを有する、
ことを特徴とする情報提示システム。
【請求項２】
前記所定の情報は、前記携帯型情報提示装置を携帯した使用者が進行し得る少なくとも１つの方向及び当該方向の行先に関する情報を含むことを特徴とする請求項１記載の情報提示システム。
【請求項３】
前記進行し得る少なくとも１つの方向は、前記記録媒体の設置方向を基準とした方向であることを特徴とする請求項２記載の情報提示システム。
【請求項４】
前記情報提示手段は、前記進行し得る少なくとも１つの方向を、前記記録媒体に対する前記携帯型情報提示装置の使用者の正対方向を水平面に投影した方向を基準として提示することを特徴とする請求項２又は３記載の情報提示システム。
【請求項５】
前記情報提示手段は、前記記録媒体に対する前記携帯型情報提示装置の使用者の正対方向を水平面に投影した方向を前方又は画面上方として、前記進行し得る少なくとも１つの方向を提示することを特徴とする請求項４記載の情報提示システム。
【請求項６】
携帯型情報提示装置と、
所定箇所に設置され識別情報が記録された記録媒体と、
を備え、
前記携帯型情報提示装置は、前記携帯型情報提示装置を前記記録媒体に接近させた状態で前記記録媒体に記録されている前記識別情報を読み取る情報読み取り手段と、前記識別情報に関連づけられた所定の情報を記憶する記憶部と、前記情報読み取り手段により前記記録媒体から読み取られた前記識別情報に関連づけられた所定の情報を、前記記憶部から読み出して提示する情報提示手段とを有する、
ことを特徴とする情報提示システム。
【請求項７】
携帯型情報提示装置と、
所定箇所に設置され識別情報が記録された記録媒体と、
ネットワークを介して前記携帯型情報提示装置と通信するサーバであって、前記識別情報に関連づけられた所定の情報を記憶する記憶部を有するサーバと、
を備え、
前記携帯型情報提示装置は、前記携帯型情報提示装置を前記記録媒体に接近させた状態で前記記録媒体に記録されている前記識別情報を読み取る情報読み取り手段と、前記情報読み取り手段により前記記録媒体から読み取られた前記識別情報に関連づけられた所定の情報の要求を、前記ネットワークを介して前記サーバに送出する要求手段と、前記要求に応じて前記サーバから受けた前記関連づけられた所定の情報を提示する情報提示手段とを有し、
前記サーバは、前記要求に応じて、前記関連づけられた所定の情報を前記記憶部から読み出して前記携帯型情報提示装置に送出する情報送出手段を有する、
ことを特徴とする情報提示システム。
【請求項８】
前記所定の情報は、前記携帯型情報提示装置を携帯した使用者が進行し得る少なくとも１つの方向及び当該方向の行先に関する情報を含むことを特徴とする請求項６又は７記載の情報提示システム。
【請求項９】
前記進行し得る少なくとも１つの方向は、前記記録媒体の設置方向を基準とした方向であることを特徴とする請求項８記載の情報提示システム。
【請求項１０】
前記情報提示手段は、前記進行し得る少なくとも１つの方向を、前記記録媒体に対する前記携帯型情報提示装置の使用者の正対方向を水平面に投影した方向を基準として提示することを特徴とする請求項８又は９記載の情報提示システム。
【請求項１１】
前記情報提示手段は、前記記録媒体に対する前記携帯型情報提示装置の使用者の正対方向を水平面に投影した方向を前方又は画面上方として、前記進行し得る少なくとも１つの方向を提示することを特徴とする請求項１０記載の情報提示システム。
【請求項１２】
前記記録媒体は説明対象の付近に設置され、
前記所定の情報は前記説明対象を説明する説明情報を含む、
ことを特徴とする請求項１、６及び７のいずれかに記載の情報提示システム。
【請求項１３】
前記所定の情報は、前記記録媒体が設置されている位置を含むことを特徴とする請求項１乃至１２のいずれかに記載の情報提示システム。
【請求項１４】
前記所定の情報が地図情報を含み、
前記情報提示手段は、前記地図情報が示す地図上に前記位置を表した表示画面を提示する、
ことを特徴とする請求項１３記載の情報提示システム。
【請求項１５】
前記地図情報は、駅構内の地図、空港内の地図、ショッピングモール内の地図、テーマパークの地図、その他の施設内の地図、地下街の地図、商店街の地図、観光地の地図及び山地の地図のうちの少なくとも１つの地図を示す情報であることを特徴とする請求項１４記載の情報提示システム。
【請求項１６】
前記所定の情報が広告を含むことを特徴とする請求項１乃至１５のいずれかに記載の情報提示システム。
【請求項１７】
前記所定の情報は、同じ内容についての複数の言語による情報を含み、
前記情報提示手段は、前記複数の言語のうち前記携帯型情報提示装置の使用者により選択された１つの言語による情報を提示する、
ことを特徴とする請求項１乃至１６のいずれかに記載の情報提示システム。
【請求項１８】
前記記録媒体は、バーコード、ＱＲコード（登録商標）、その他の二次元コード、カラーコード、３次元コード、イメージコード、ＲＦＩＤタグ及びその他のＩＣタグのうちの少なくとも１つを含むことを特徴とする請求項１乃至１７のいずれかに記載の情報提示システム。
【請求項１９】
ネットワークを介して前記携帯型情報提示装置と通信して前記携帯型情報提示装置から被収集情報を収集する情報収集用サーバを備え、
前記携帯型情報提示装置は、前記情報読み取り手段が前記記録媒体から前記情報を読み取った場合に、前記記録媒体から前記情報を読み取ったことを示す情報を、前記被収集情報の少なくとも一部として、前記ネットワークを介した前記情報収集用サーバとの通信可能状態において、前記ネットワークを介して前記情報収集用サーバへ送信する被収集情報送信手段を有する、
ことを特徴とする請求項１乃至１８のいずれかに記載の情報提示システム。
【請求項２０】
前記被収集情報は、前記情報読み取り手段が前記記録媒体から前記情報を読み取った時刻、前記携帯型情報提示装置の使用者の属性、前記使用者に関するその他の情報、及び、前記携帯型情報提示装置に関する情報のうちの、少なくとも一部を含むことを特徴とする請求項１９記載の情報提示システム。
【請求項２１】
前記被収集情報送信手段は、前記携帯型情報提示装置の使用者の許可を得たことを条件として、前記被収集情報を前記情報収集用サーバへ送信することを特徴とする請求項１９又は２０記載の情報提示システム。
【請求項２２】
携帯型情報提示装置であって、
所定箇所に設置され所定の情報が記録された記録媒体に、当該携帯型情報提示装置を接近させた状態で、前記記録媒体に記録されている前記所定の情報を読み取る情報読み取り手段と、
前記情報読み取り手段により前記記録媒体から読み取られた前記所定の情報を提示する情報提示手段と、
を備えたことを特徴とする携帯型情報提示装置。
【請求項２３】
前記所定の情報は、前記携帯型情報提示装置を携帯した使用者が進行し得る少なくとも１つの方向及び当該方向の行先に関する情報を含むことを特徴とする請求項２２記載の携帯型情報提示装置。
【請求項２４】
前記進行し得る少なくとも１つの方向は、前記記録媒体の設置方向を基準とした方向であることを特徴とする請求項２３記載の携帯型情報提示装置。
【請求項２５】
前記情報提示手段は、前記進行し得る少なくとも１つの方向を、前記記録媒体に対する前記携帯型情報提示装置の使用者の正対方向を水平面に投影した方向を基準として提示することを特徴とする請求項２３又は２４記載の携帯型情報提示装置。
【請求項２６】
前記情報提示手段は、前記記録媒体に対する前記携帯型情報提示装置の使用者の正対方向を水平面に投影した方向を前方又は画面上方として、前記進行し得る少なくとも１つの方向を提示することを特徴とする請求項２５記載の携帯型情報提示装置。
【請求項２７】
携帯型情報提示装置であって、
所定箇所に設置され識別情報が記録された記録媒体に、当該携帯型情報提示装置を接近させた状態で、前記記録媒体に記録されている前記識別情報を読み取る情報読み取り手段と、
前記識別情報に関連づけられた所定の情報を記憶する記憶部と、
前記情報読み取り手段により前記記録媒体から読み取られた前記識別情報に関連づけられた所定の情報を、前記記憶部から読み出して提示する情報提示手段と、
を備えたことを特徴とする携帯型情報提示装置。
【請求項２８】
携帯型情報提示装置であって、
所定箇所に設置され識別情報が記録された記録媒体に、当該携帯型情報提示装置を接近させた状態で、前記記録媒体に記録されている前記識別情報を読み取る情報読み取り手段と、
前記情報読み取り手段により前記記録媒体から読み取られた前記識別情報に関連づけられた所定の情報の要求を、ネットワークを介して当該携帯型情報提示装置と通信するサーバであって前記識別情報に関連づけられた所定の情報を記憶する記憶部を有するサーバに、前記ネットワークを介して送出する要求手段と、
前記サーバが前記要求に応じて前記記憶部から読み出して当該携帯型情報提示装置に送出した前記関連づけられた所定の情報を提示する情報提示手段と、
を備えたことを特徴とする携帯型情報提示装置。
【請求項２９】
前記所定の情報は、前記携帯型情報提示装置を携帯した使用者が進行し得る少なくとも１つの方向及び当該方向の行先に関する情報を含むことを特徴とする請求項２７又は２８記載の携帯型情報提示装置。
【請求項３０】
前記進行し得る少なくとも１つの方向は、前記記録媒体の設置方向を基準とした方向であることを特徴とする請求項２９記載の携帯型情報提示装置。
【請求項３１】
前記情報提示手段は、前記進行し得る少なくとも１つの方向を、前記記録媒体に対する前記携帯型情報提示装置の使用者の正対方向を水平面に投影した方向を基準として提示することを特徴とする請求項２９又は３０記載の携帯型情報提示装置。
【請求項３２】
前記情報提示手段は、前記記録媒体に対する前記携帯型情報提示装置の使用者の正対方向を水平面に投影した方向を前方又は画面上方として、前記進行し得る少なくとも１つの方向を提示することを特徴とする請求項３１記載の携帯型情報提示装置。
【請求項３３】
前記記録媒体は説明対象の付近に設置され、
前記所定の情報は前記説明対象を説明する説明情報を含む、
ことを特徴とする請求項２２、２７及び２８のいずれかに記載の携帯型情報提示装置。
【請求項３４】
前記所定の情報は、前記記録媒体が設置されている位置を含むことを特徴とする請求項２２乃至３３のいずれかに記載の携帯型情報提示装置。
【請求項３５】
前記所定の情報が地図情報を含み、
前記情報提示手段は、前記地図情報が示す地図上に前記位置を表した表示画面を提示する、
ことを特徴とする請求項３４記載の携帯型情報提示装置。
【請求項３６】
前記地図情報は、駅構内の地図、空港内の地図、ショッピングモール内の地図、テーマパークの地図、その他の施設内の地図、地下街の地図、商店街の地図、観光地の地図及び山地の地図のうちの少なくとも１つの地図を示す情報であることを特徴とする請求項３５記載の携帯型情報提示装置。
【請求項３７】
前記所定の情報が広告を含むことを特徴とする請求項２２乃至３６のいずれかに記載の携帯型情報提示装置。
【請求項３８】
前記所定の情報は、同じ内容についての複数の言語による情報を含み、
前記情報提示手段は、前記複数の言語のうち当該携帯型情報提示装置の使用者により選択された１つの言語による情報を提示する、
ことを特徴とする請求項２２乃至３７のいずれかに記載の携帯型情報提示装置。
【請求項３９】
前記記録媒体は、バーコード、ＱＲコード（登録商標）、その他の二次元コード、カラーコード、３次元コード、イメージコード、ＲＦＩＤタグ及びその他のＩＣタグのうちの少なくとも１つを含むことを特徴とする請求項２２乃至３８のいずれかに記載の携帯型情報提示装置。
【請求項４０】
前記情報読み取り手段が前記記録媒体から前記情報を読み取った場合に、前記記録媒体から前記情報を読み取ったことを示す情報を、情報収集用サーバがネットワークを介して前記携帯型情報提示装置と通信して当該携帯型情報提示装置から収集する被収集情報の少なくとも一部として、前記情報収集用サーバとの前記ネットワークを介した通信可能状態において、前記ネットワークを介して前記情報収集用サーバへ送信する被収集情報送信手段を有する、
ことを特徴とする請求項２２乃至３９のいずれかに記載の携帯型情報提示装置
【請求項４１】
前記被収集情報は、前記情報読み取り手段が前記記録媒体から前記情報を読み取った時刻、当該携帯型情報提示装置の使用者の属性、前記使用者に関するその他の情報、及び、当該携帯型情報提示装置に関する情報のうちの、少なくとも一部を含むことを特徴とする請求項４０記載の携帯型情報提示装置。
【請求項４２】
前記被収集情報送信手段は、当該携帯型情報提示装置の使用者の許可を得たことを条件として、前記被収集情報を前記情報収集用サーバへ送信することを特徴とする請求項４０又は４１記載の携帯型情報提示装置。
【請求項４３】
携帯情報端末装置を構成するコンピュータ又はその他のコンピュータを、請求項２２乃至４２のいずれかに記載の携帯型情報提示装置として機能させるためのプログラム。
【請求項４４】
所定箇所に設置される記録媒体であって、
前記所定箇所付近から歩行者が進行し得る少なくとも１つの方向及び当該方向の行先に関する情報が、読み出し可能に記録された、
ことを特徴とする記録媒体。
【請求項４５】
前記進行し得る少なくとも１つの方向は、前記記録媒体の設置方向を基準とした方向であることを特徴とする請求項４４記載の記録媒体。
【請求項４６】
当該記録媒体は、バーコード、ＱＲコード（登録商標）、その他の二次元コード、カラーコード、３次元コード、イメージコード、ＲＦＩＤタグ及びその他のＩＣタグのうちの少なくとも１つを含むことを特徴とする請求項４４又は４５記載の記録媒体。
【発明の詳細な説明】
【技術分野】
【０００１】
本発明は、携帯型情報提示装置を携帯した使用者に所定の情報を提示する情報提示システム、前記情報提示システムにおいて用いられる携帯型情報提示装置及び記録媒体、並びに、コンピュータを前記携帯型情報提示装置として機能させるためのプログラムに関するものである。
【背景技術】
【０００２】
従来から、所望の位置において当該位置に応じた情報を人に提示する場合、当該位置に、看板や説明板などの、当該情報を示す文字・図形等を記載した記載板が設置されている。そのような記載板の一例として、下記特許文献１には案内看板が開示されている。この案内看板は、所定位置から目標位置までの道標として設置される案内看板において、所定位置から目標位置までの道路に沿って複数の案内看板を順次設置すると共に、これら各案内看板には識別符号を設けたものである。
【先行技術文献】
【特許文献】
【０００３】
【特許文献１】特開２００２−１６９４９４号公報
【発明の概要】
【発明が解決しようとする課題】
【０００４】
前記従来の記載板によれば、所望の位置に設置されるので、所望の正確な位置でその位置に応じた情報を提示することができる。
【０００５】
しかしながら、前記従来の記載板は、人が目で見る文字・図形等を記載したものであるため、比較的大きくならざるを得ず、比較的大きな設置スペースを要してしまう。
【０００６】
本発明は、このような事情に鑑みてなされたもので、所望の正確な位置でその位置に応じた情報を提示することができ、しかも当該位置での設置スペースが少なくて済む情報提示システム、前記情報提示システムにおいて用いられる携帯型情報提示装置及び記録媒体、並びに、コンピュータを前記携帯型情報提示装置として機能させるためのプログラムを提供することを目的とする。
【課題を解決するための手段】
【０００７】
前記課題を解決するための手段として、以下の各態様を提示する。第１の態様による情報提示システムは、携帯型情報提示装置と、所定箇所に設置され所定の情報が記録された記録媒体と、を備え、前記携帯型情報提示装置は、前記携帯型情報提示装置を前記記録媒体に接近させた状態で前記記録媒体に記録されている前記所定の情報を読み取る情報読み取り手段と、前記情報読み取り手段により前記記録媒体から読み取られた前記所定の情報を提示する情報提示手段とを有するものである。
【０００８】
前記情報提示手段は、前記所定の情報を提示するに際し、例えば、表示画面により視覚的に情報を提示してもよいし、音声により聴覚的に情報を提示してもよいし、それらの両方によって情報を提示してもよいし、両者のいずれにより情報を提示するかを使用者が選択することができるようにしてもよい。この点は、後述する各態様についても同様である。
【０００９】
前記第１の態様によれば、所定箇所に設置され所定の情報が記録された記録媒体に携帯型情報提示装置を接近させた状態で、携帯型情報提示装置の情報読み取り手段により当該記録媒体から前記所定の情報が読み取られ、当該読み取られた前記所定の情報が情報提示手段により提示される。
【００１０】
したがって、前記第１の態様によれば、所望の正確な位置でその位置に応じた情報を提示することができ、しかも、当該位置において前記記録媒体を設置すればよいので、前記従来の記載板に比べて、当該位置での設置スペースが少なくて済む。
【００１１】
また、前記第１の態様によれば、提示される前記所定の情報は、前記記録媒体から読み取られるものであって、ネットワークを介してサーバ等から供給されるものではないため、ネットワークを介した通信の可能・不能に拘わらずに、適切に情報を提示することができる。
【００１２】
なお、前記第１の態様において、前記記録媒体に識別情報を記録しておき、この識別情報を記録媒体の管理等に利用することができるようにしてもよい。
【００１３】
第２の態様による情報提示システムは、前記第１の態様において、前記所定の情報は、前記携帯型情報提示装置を携帯した使用者が進行し得る少なくとも１つの方向及び当該方向の行先に関する情報を含むものである。
【００１４】
前記進行し得る方向は、戻り方向も含む。前記少なくとも１つの方向は、通常は、複数の方向とされる。これらの点は、後述する第８の態様についても同様である。
【００１５】
この第２の態様によれば、進行し得る方向とその行先とが提示されるので、道案内され、道に迷う可能性が少なくなる。また、使用者が進行する方向や経路は使用者が自身で決定することになるので、サーバ等が現在地と目的地とから自動的に経路を演算するような場合に比べて、サーバ等の演算負担がない上に、使用者が自由に散策を楽しんだりすることも可能となる。
【００１６】
第３の態様による情報提示システムは、前記第２の態様において、前記進行し得る少なくとも１つの方向は、前記記録媒体の設置方向を基準とした方向であるものである。
【００１７】
前記記録媒体の前記設置方向は、例えば、前記記録媒体に対する前記携帯型情報提示装置の使用者の正対方向でもよいし、当該正対方向を水平面に投影した方向でもよいが、これらに限らない。この点は、後述する第９の態様についても同様である。
【００１８】
前記第３の態様は、前記進行し得る少なくとも１つの方向を、前記記録媒体の設置方向を基準とした方向とした例を挙げたものである。もっとも、前記第２の態様では、前記進行し得る少なくとも１つの方向は、例えば、地磁気の情報等に基づいて特定される絶対的な方位（東西南北等の絶対的な方位）そのものでもよい。この場合、前記情報提示手段は、例えば電子コンパス等による絶対的な基準方位（例えば、北方向）も提示してもよい。
【００１９】
前記第３の態様では、前記記録媒体に当該記録媒体の設置方向を記録しておき、前記情報読み取り手段が前記設置方向を読み取り、前記情報提示手段が前記設置方向も提示してもよい。この場合、前記携帯型情報提示装置の使用者は、前記進行し得る少なくとも１つの方向を理解し易くなる。
【００２０】
第４の態様による情報提示システムは、前記第２又は第３の態様において、前記情報提示手段は、前記進行し得る少なくとも１つの方向を、前記記録媒体に対する前記携帯型情報提示装置の使用者の正対方向を水平面に投影した方向を基準として提示するものである。
【００２１】
この第４の態様によれば、前記進行し得る少なくとも１つの方向が、前記記録媒体に対する前記携帯型情報提示装置の使用者の正対方向を水平面に投影した方向を基準として提示されるので、前記携帯型情報提示装置の使用者は、前記進行し得る少なくとも１つの方向を、直感的に理解し易い。前記第４の態様において、前記記録媒体に当該記録媒体に対する前記携帯型情報提示装置の使用者の正対方向又は当該正対方向を水平面に投影した方向を記録しておき、前記情報読み取り手段がその方向を記録媒体から読み取り、前記情報提示手段が、前記記録媒体に対する前記携帯型情報提示装置の使用者の正対方向を水平面に投影した方向も提示してもよい。この場合、前記携帯型情報提示装置の使用者は、前記進行し得る少なくとも１つの方向を、より直感的に理解し易くなる。
【００２２】
第５の態様による情報提示システムは、前記第４の態様において、前記情報提示手段は、前記記録媒体に対する前記携帯型情報提示装置の使用者の正対方向を水平面に投影した方向を前方又は画面上方として、前記進行し得る少なくとも１つの方向を提示するものである。
【００２３】
この第５の態様によれば、前記情報提示手段が、前記記録媒体に対する前記携帯型情報提示装置の使用者の正対方向を水平面に投影した方向を提示しなくても、前記携帯型情報提示装置の使用者は、前記進行し得る少なくとも１つの方向を、直感的に理解し易くなる。前記第５の態様において、前記情報提示手段が、前記記録媒体に対する前記携帯型情報提示装置の使用者の正対方向を水平面に投影した方向を提示してもよく、この場合には、前記携帯型情報提示装置の使用者は、前記進行し得る少なくとも１つの方向を、より一層直感的に理解し易くなる。
【００２４】
第６の態様による情報提示システムは、携帯型情報提示装置と、所定箇所に設置され識別情報が記録された記録媒体と、を備え、前記携帯型情報提示装置は、前記携帯型情報提示装置を前記記録媒体に接近させた状態で前記記録媒体に記録されている前記識別情報を読み取る情報読み取り手段と、前記識別情報に関連づけられた所定の情報を記憶する記憶部と、前記情報読み取り手段により前記記録媒体から読み取られた前記識別情報に関連づけられた所定の情報を、前記記憶部から読み出して提示する情報提示手段とを有するものである。
【００２５】
この第６の態様によれば、所定箇所に設置され識別情報が記録された記録媒体に携帯型情報提示装置を接近させた状態で、携帯型情報提示装置の情報読み取り手段により当該記録媒体から前記識別情報が読み取られ、当該読み取られた前記識別情報に関連づけられた所定の情報が、前記情報提示手段によって、前記携帯型情報提示装置の前記記憶部から読み出されて提示される。
【００２６】
したがって、前記第６の態様によれば、所望の正確な位置でその位置に応じた情報を提示することができ、しかも、当該位置において前記記録媒体を設置すればよいので、前記従来の記載板に比べて、当該位置での設置スペースが少なくて済む。
【００２７】
また、前記第６の態様によれば、提示される前記所定の情報は、前記記録媒体から読み取られる識別情報に関連づけられ前記携帯型情報提示装置の記憶部から読み出されたものであって、少なくとも情報提示時にはネットワークを介してサーバ等から供給されるものではないため、少なくとも情報提示時にはネットワークを介した通信の可能・不能に拘わらずに、適切に情報を提示することができる。
【００２８】
さらに、前記第６の態様によれば、提示する所定の情報が前記記録媒体ではなく前記記憶部に記憶されているので、前記記憶部の記憶容量が大きければ、提示する所定の情報の量を増大させることができる。
【００２９】
さらにまた、前記第６の態様によれば、前記記憶部に記憶されている所定の情報を変更することによって、記録媒体に記録されている情報を変更することなく、提示される所定の情報を変更することができる。
【００３０】
第７の態様による情報提示システムは、携帯型情報提示装置と、所定箇所に設置され識別情報が記録された記録媒体と、ネットワークを介して前記携帯型情報提示装置と通信するサーバであって、前記識別情報に関連づけられた所定の情報を記憶する記憶部を有するサーバと、を備え、前記携帯型情報提示装置は、前記携帯型情報提示装置を前記記録媒体に接近させた状態で前記記録媒体に記録されている前記識別情報を読み取る情報読み取り手段と、前記情報読み取り手段により前記記録媒体から読み取られた前記識別情報に関連づけられた所定の情報の要求を、前記ネットワークを介して前記サーバに送出する要求手段と、前記要求に応じて前記サーバから受けた前記関連づけられた所定の情報を提示する情報提示手段とを有し、前記サーバは、前記要求に応じて、前記関連づけられた所定の情報を前記記憶部から読み出して前記携帯型情報提示装置に送出する情報送出手段を有するものである。
【００３１】
この第７の態様によれば、所定箇所に設置され識別情報が記録された記録媒体に携帯型情報提示装置を接近させた状態で、携帯型情報提示装置の情報読み取り手段により当該記録媒体から前記識別情報が読み取られ、当該読み取られた前記識別情報に関連づけられた所定の情報の要求がネットワークを介してサーバに送出され、当該要求に応じて前記サーバの情報送出手段からからネットワークを介して受けた前記関連づけられた所定の情報が、前記携帯型情報提示装置の前記情報提示手段によって、前記携帯型情報提示装置の前記記憶部から読み出されて提示される。
【００３２】
したがって、前記第７の態様によれば、所望の正確な位置でその位置に応じた情報を提示することができ、しかも、当該位置において前記記録媒体を設置すればよいので、前記従来の記載板に比べて、当該位置での設置スペースが少なくて済む。
【００３３】
また、前記第７の態様によれば、提示する所定の情報が前記記録媒体ではなく前記サーバの前記記憶部に記憶されているので、前記記憶部の記憶容量が大きければ、提示する所定の情報の量を増大させることができる。
【００３４】
さらに、前記第７の態様によれば、前記記憶部に記憶されている所定の情報を変更することによって、記録媒体に記録されている情報を変更することなく、提示される所定の情報を変更することができる。
【００３５】
第８の態様による情報提示システムは、前記第６又は第７の態様において、前記所定の情報は、前記携帯型情報提示装置を携帯した使用者が進行し得る少なくとも１つの方向及び当該方向の行先に関する情報を含むものである。
【００３６】
この第８の態様によれば、前記第２の態様と同様の利点が得られる。
第９の態様による情報提示システムは、前記第８の態様において、前記進行し得る少なくとも１つの方向は、前記記録媒体の設置方向を基準とした方向であるものである。
【００３７】
この第９の態様は、前記進行し得る少なくとも１つの方向を、前記記録媒体の設置方向を基準とした方向とした例を挙げたものである。もっとも、前記第８の態様では、前記進行し得る少なくとも１つの方向は、例えば、地磁気の情報等に基づいて特定される絶対的な方位（東西南北等の絶対的な方位）そのものでもよい。この場合、前記情報提示手段は、例えば電子コンパス等による絶対的な基準方位（例えば、北方向）も提示してもよい。
【００３８】
前記第９の態様では、前記記録媒体に当該記録媒体の設置方向を記録しておき、前記情報読み取り手段が前記設置方向を読み取り、前記情報提示手段が前記設置方向も提示してもよい。この場合、前記携帯型情報提示装置の使用者は、前記進行し得る少なくとも１つの方向を理解し易くなる。
【００３９】
第１０の態様による情報提示システムは、前記第８又は第９の態様において、前記情報提示手段は、前記進行し得る少なくとも１つの方向を、前記記録媒体に対する前記携帯型情報提示装置の使用者の正対方向を水平面に投影した方向を基準として提示するものである。
【００４０】
この第１０の態様によれば、前記進行し得る少なくとも１つの方向が、前記記録媒体に対する前記携帯型情報提示装置の使用者の正対方向を水平面に投影した方向を基準として提示されるので、前記携帯型情報提示装置の使用者は、前記進行し得る少なくとも１つの方向を、直感的に理解し易い。前記第１０の態様において、前記記録媒体に当該記録媒体に対する前記携帯型情報提示装置の使用者の正対方向又は当該正対方向を水平面に投影した方向を記録しておき、前記情報読み取り手段がその方向を記録媒体から読み取り、前記情報提示手段が、前記記録媒体に対する前記携帯型情報提示装置の使用者の正対方向を水平面に投影した方向も提示してもよい。この場合、前記携帯型情報提示装置の使用者は、前記進行し得る少なくとも１つの方向を、より直感的に理解し易くなる。
【００４１】
第１１の態様による情報提示システムは、前記第１０の態様において、前記情報提示手段は、前記記録媒体に対する前記携帯型情報提示装置の使用者の正対方向を水平面に投影した方向を前方又は画面上方として、前記進行し得る少なくとも１つの方向を提示するものである。
【００４２】
この第１１の態様によれば、前記情報提示手段が、前記記録媒体に対する前記携帯型情報提示装置の使用者の正対方向を水平面に投影した方向を提示しなくても、前記携帯型情報提示装置の使用者は、前記進行し得る少なくとも１つの方向を、直感的に理解し易くなる。前記第１１の態様において、前記情報提示手段が、前記記録媒体に対する前記携帯型情報提示装置の使用者の正対方向を水平面に投影した方向を提示してもよく、この場合には、前記携帯型情報提示装置の使用者は、前記進行し得る少なくとも１つの方向を、より一層直感的に理解し易くなる。
【００４３】
第１２の態様による情報提示システムは、前記第１、第６及び第７のいずれかの態様において、前記記録媒体は説明対象の付近に設置され、前記所定の情報は前記説明対象を説明する説明情報を含むものである。
【００４４】
前記説明対象として、例えば、神社仏閣、史跡、建築物内の各部屋、文化財の各一点、美術館や博物館等の各展示品などを挙げることができる。
【００４５】
前記第１２の態様によれば、説明対象の付近で適切な説明情報を提示することができる。
【００４６】
第１３の態様による情報提示システムは、前記第１乃至第１２のいずれかの態様において、前記所定の情報は、前記記録媒体が設置されている位置を含むものである。
【００４７】
前記位置は、例えば、住所（番地等を含んでもよい。）で表したものでもよいし、緯度・経度で表したものでもよいし、○×○通りの何番目の交差点かを示すような符号で表したものでもよいし、○○駅や△□美術館前などの名称で表したものでもよく、位置の表現形式は何ら限定されない。
【００４８】
この第１３の態様によれば、前記記録媒体に携帯型情報提示装置を接近させた状態で、携帯型情報提示装置の情報読み取り手段により当該記録媒体から前記所定の情報又は前記所定の情報に関連づけられた識別情報が読み取られるので、読み取った記録媒体が設置されている位置は、当該携帯型情報提示装置の使用者の現在位置を正確に示すことになる。したがって、前記第１３の態様によれば、当該携帯型情報提示装置の使用者の現在位置を提示することができる。
【００４９】
第１４の態様による情報提示システムは、前記第１３の態様において、前記所定の情報が地図情報を含み、前記情報提示手段は、前記地図情報が示す地図上に前記位置を表した表示画面を提示するものである。
【００５０】
この第１４の態様によれば、地図上に現在位置を表した表示画面が提示されるので、使用者は現在位置を理解し易くなる。
【００５１】
第１５の態様による情報提示システムは、前記第１４の態様において、前記地図情報は、駅構内の地図、空港内の地図、ショッピングモール内の地図、テーマパークの地図、その他の施設内の地図、地下街の地図、商店街の地図、観光地の地図及び山地の地図のうちの少なくとも１つの地図を示す情報であるものである。この第１５の態様は、地図情報の例を挙げたものである。
【００５２】
第１６の態様による情報提示システムは、前記第１乃至第１５のいずれかの態様において、前記所定の情報が広告を含むものである。
【００５３】
この第１６の態様によれば、広告も提示されるので、広告効果を高めることができる。
【００５４】
第１７の態様による情報提示システムは、前記第１乃至第１６のいずれかの態様において、前記所定の情報は、同じ内容についての複数の言語による情報を含み、前記情報提示手段は、前記複数の言語のうち前記携帯型情報提示装置の使用者により選択された１つの言語による情報を提示するものである。
【００５５】
この第１７の態様によれば、使用言語の異なる使用者に対しても適切に情報を提示することができる。
【００５６】
第１８の態様による情報提示システムは、前記第１乃至第１７のいずれかの態様において、前記記録媒体は、バーコード、ＱＲコード（登録商標）、その他の二次元コード、カラーコード、３次元コード、イメージコード、ＲＦＩＤタグ及びその他のＩＣタグのうちの少なくとも１つを含むものである。この第１８の態様は、記録媒体の具体例を挙げたものである。
【００５７】
第１９の態様による情報提示システムは、前記第１乃至第１８のいずれかの態様において、ネットワークを介して前記携帯型情報提示装置と通信して前記携帯型情報提示装置から被収集情報を収集する情報収集用サーバを備え、前記携帯型情報提示装置は、前記情報読み取り手段が前記記録媒体から前記情報を読み取った場合に、前記記録媒体から前記情報を読み取ったことを示す情報を、前記被収集情報の少なくとも一部として、前記ネットワークを介した前記情報収集用サーバとの通信可能状態において、前記ネットワークを介して前記情報収集用サーバへ送信する被収集情報送信手段を有するものである。
【００５８】
前記情報収集用サーバは、前記第６の態様におけるサーバと兼用してもよいし兼用しなくてもよい。
【００５９】
この第１９の態様によれば、前記記録媒体から前記情報を読み取ったことを示す情報が情報収集用サーバにより収集されるので、当該情報を多数集めて解析することによって、種々の傾向や事実等を知ることができる。
【００６０】
第２０の態様による情報提示システムは、前記第１９の態様において、前記被収集情報は、前記情報読み取り手段が前記記録媒体から前記情報を読み取った時刻、前記携帯型情報提示装置の使用者の属性、前記使用者に関するその他の情報、及び、前記携帯型情報提示装置に関する情報のうちの、少なくとも一部を含むものである。
【００６１】
この第２０の態様によれば、より細かい解析が可能となり、種々の傾向や事実等をより知ることができる。
【００６２】
第２１の態様による情報提示システムは、前記第１９又は第２０の態様において、前記被収集情報送信手段は、前記携帯型情報提示装置の使用者の許可を得たことを条件として、前記被収集情報を前記情報収集用サーバへ送信するものである。
【００６３】
この第２１の態様によれば、前記携帯型情報提示装置の使用者の許可を得たことを条件とするので、プライバシー保護の観点から好ましい。
【００６４】
第２２の態様による携帯型情報提示装置は、所定箇所に設置され所定の情報が記録された記録媒体に、当該携帯型情報提示装置を接近させた状態で、前記記録媒体に記録されている前記所定の情報を読み取る情報読み取り手段と、前記情報読み取り手段により前記記録媒体から読み取られた前記所定の情報を提示する情報提示手段と、を備えたものである。
【００６５】
第２３の態様による携帯型情報提示装置は、前記第２２の態様において、前記所定の情報は、前記携帯型情報提示装置を携帯した使用者が進行し得る少なくとも１つの方向及び当該方向の行先に関する情報を含むものである。
【００６６】
第２４の態様による携帯型情報提示装置は、前記第２３の態様において、前記進行し得る少なくとも１つの方向は、前記記録媒体の設置方向を基準とした方向であるものである。
【００６７】
第２５の態様による携帯型情報提示装置は、前記第２３又は第２４の態様において、前記情報提示手段は、前記進行し得る少なくとも１つの方向を、前記記録媒体に対する前記携帯型情報提示装置の使用者の正対方向を水平面に投影した方向を基準として提示するものである。
【００６８】
第２６の態様による携帯型情報提示装置は、前記第２５の態様において、前記情報提示手段は、前記記録媒体に対する前記携帯型情報提示装置の使用者の正対方向を水平面に投影した方向を前方又は画面上方として、前記進行し得る少なくとも１つの方向を提示するものである。
【００６９】
第２７の態様による携帯型情報提示装置は、所定箇所に設置され識別情報が記録された記録媒体に、当該携帯型情報提示装置を接近させた状態で、前記記録媒体に記録されている前記識別情報を読み取る情報読み取り手段と、前記識別情報に関連づけられた所定の情報を記憶する記憶部と、前記情報読み取り手段により前記記録媒体から読み取られた前記識別情報に関連づけられた所定の情報を、前記記憶部から読み出して提示する情報提示手段と、を備えたものである。
【００７０】
第２８の態様による携帯型情報提示装置は、所定箇所に設置され識別情報が記録された記録媒体に、当該携帯型情報提示装置を接近させた状態で、前記記録媒体に記録されている前記識別情報を読み取る情報読み取り手段と、前記情報読み取り手段により前記記録媒体から読み取られた前記識別情報に関連づけられた所定の情報の要求を、ネットワークを介して当該携帯型情報提示装置と通信するサーバであって前記識別情報に関連づけられた所定の情報を記憶する記憶部を有するサーバに、前記ネットワークを介して送出する要求手段と、前記サーバが前記要求に応じて前記記憶部から読み出して当該携帯型情報提示装置に送出した前記関連づけられた所定の情報を提示する情報提示手段と、を備えたものである。
【００７１】
第２９の態様による携帯型情報提示装置は、前記第２７又は第２８の態様において、前記所定の情報は、前記携帯型情報提示装置を携帯した使用者が進行し得る少なくとも１つの方向及び当該方向の行先に関する情報を含むものである。
【００７２】
第３０の態様による携帯型情報提示装置は、前記第２９の態様において、前記進行し得る少なくとも１つの方向は、前記記録媒体の設置方向を基準とした方向であるものである。
【００７３】
第３１の態様による携帯型情報提示装置は、前記第２９又は第３０の態様において、前記情報提示手段は、前記進行し得る少なくとも１つの方向を、前記記録媒体に対する前記携帯型情報提示装置の使用者の正対方向を水平面に投影した方向を基準として提示するものである。
【００７４】
第３２の態様による携帯型情報提示装置は、前記第３１の態様において、前記情報提示手段は、前記記録媒体に対する前記携帯型情報提示装置の使用者の正対方向を水平面に投影した方向を前方又は画面上方として、前記進行し得る少なくとも１つの方向を提示するものである。
【００７５】
第３３の態様による携帯型情報提示装置は、前記第２２、第２７及び第２８のいずれかの態様において、前記記録媒体は説明対象の付近に設置され、前記所定の情報は前記説明対象を説明する説明情報を含むものである。
【００７６】
第３４の態様による携帯型情報提示装置は、前記第２２乃至第２３のいずれかの態様において、前記所定の情報は、前記記録媒体が設置されている位置を含むものである。
【００７７】
第３５の態様による携帯型情報提示装置は、前記第３４の態様において、前記所定の情報が地図情報を含み、前記情報提示手段は、前記地図情報が示す地図上に前記位置を表した表示画面を提示するものである。
【００７８】
第３６の態様による携帯型情報提示装置は、前記第３５の態様において、前記地図情報は、駅構内の地図、空港内の地図、ショッピングモール内の地図、テーマパークの地図、その他の施設内の地図、地下街の地図、商店街の地図、観光地の地図及び山地の地図のうちの少なくとも１つの地図を示す情報であるものである。
【００７９】
第３７の態様による携帯型情報提示装置は、前記第２２乃至第３６のいずれかの態様において、前記所定の情報が広告を含むものである。
【００８０】
第３８の態様による携帯型情報提示装置は、前記第２２乃至第３７のいずれかの態様において、前記所定の情報は、同じ内容についての複数の言語による情報を含み、前記情報提示手段は、前記複数の言語のうち当該携帯型情報提示装置の使用者により選択された１つの言語による情報を提示するものである。
【００８１】
第３９の態様による携帯型情報提示装置は、前記第２２乃至第３８のいずれかの態様において、前記記録媒体は、バーコード、ＱＲコード（登録商標）、その他の二次元コード、カラーコード、３次元コード、イメージコード、ＲＦＩＤタグ及びその他のＩＣタグのうちの少なくとも１つを含むものである。
【００８２】
第４０の態様による携帯型情報提示装置は、前記第２２乃至第３９のいずれかの態様において、前記情報読み取り手段が前記記録媒体から前記情報を読み取った場合に、前記記録媒体から前記情報を読み取ったことを示す情報を、情報収集用サーバがネットワークを介して前記携帯型情報提示装置と通信して当該携帯型情報提示装置から収集する被収集情報の少なくとも一部として、前記情報収集用サーバとの前記ネットワークを介した通信可能状態において、前記ネットワークを介して前記情報収集用サーバへ送信する被収集情報送信手段を有するものである。
【００８３】
第４１の態様による携帯型情報提示装置は、前記第４０の態様において、前記被収集情報は、前記情報読み取り手段が前記記録媒体から前記情報を読み取った時刻、当該携帯型情報提示装置の使用者の属性、前記使用者に関するその他の情報、及び、当該携帯型情報提示装置に関する情報のうちの、少なくとも一部を含むものである。
【００８４】
第４２の態様による携帯型情報提示装置は、前記第４０又は第４１の態様において、前記被収集情報送信手段は、当該携帯型情報提示装置の使用者の許可を得たことを条件として、前記被収集情報を前記情報収集用サーバへ送信するものである。
【００８５】
前記第２２乃至第４２の態様による携帯型情報提示装置は、前記第１乃至第２１の態様による情報提示システムにそれぞれ対応しており、前記第１乃至第２１の態様とそれぞれ同様の利点が得られる。
【００８６】
第４３の態様によるプログラムは、携帯情報端末装置を構成するコンピュータ又はその他のコンピュータを、前記第２２乃至第４２のいずれかの態様による携帯型情報提示装置として機能させるためのプログラムである。
【００８７】
第４４の態様による記録媒体は、所定箇所に設置される記録媒体であって、前記所定箇所付近から歩行者が進行し得る少なくとも１つの方向及び当該方向の行先に関する情報が、読み出し可能に記録されたものである。
【００８８】
第４５の態様による記録媒体は、前記第４４の態様において、前記進行し得る少なくとも１つの方向は、前記記録媒体の設置方向を基準とした方向であるものである。
【００８９】
前記第４４及び第４５の態様による記録媒体は、前記第２及び第３の態様による情報提示システムにおいて用いられる記録媒体に相当している。
【００９０】
第４６の態様による記録媒体は、前記第４４又は第４５の態様において、当該記録媒体は、バーコード、ＱＲコード（登録商標）、その他の二次元コード、カラーコード、３次元コード、イメージコード、ＲＦＩＤタグ及びその他のＩＣタグのうちの少なくとも１つを含むものである。この第４６の態様は、記録媒体の具体例を挙げたものである。
【発明の効果】
【００９１】
本発明によれば、所望の正確な位置でその位置に応じた情報を提示することができ、しかも当該位置での設置スペースが少なくて済む情報提示システム、前記情報提示システムにおいて用いられる携帯型情報提示装置及び記録媒体、並びに、コンピュータを前記携帯型情報提示装置として機能させるためのプログラムを提供することができる。
【図面の簡単な説明】
【００９２】
【図１】本発明の第１の実施の形態による情報提示システムの概略構成を示すブロック図である。
【図２】図１中の二次元コードの設置状況、図１中の携帯型情報提示装置の使用状況及び当該携帯型情報提示装置の使用者の進行し得る方向の例を模式的に示す図である。
【図３】図１中の二次元コードの設置状況の具体例を模式的に示す図である。
【図４】図１中の二次元コードの設置状況の他の具体例を模式的に示す図である。
【図５】図１中の携帯型情報提示装置の動作の一例を示す概略フローチャートである。
【図６】図１中の携帯型情報提示装置の二次元コード読み取り前の状態の表示画面の一例を模式的に示す図である。
【図７】図１中の携帯型情報提示装置の情報提示状態の表示画面の一例を模式的に示す図である。
【図８】図１中の携帯型情報提示装置の情報提示状態の表示画面の他の例を模式的に示す図である。
【図９】図１中の携帯型情報提示装置の情報提示状態の表示画面の更に他の例を模式的に示す図である。
【図１０】本発明の第２の実施の形態による情報提示システム中の携帯型情報提示装置の情報提示状態の表示画面の一例を模式的に示す図である。
【図１１】本発明の第３の実施の形態による情報提示システム中の携帯型情報提示装置の情報提示状態の表示画面の一例を模式的に示す図である。
【図１２】本発明の第４の実施の形態による情報提示システム中の携帯型情報提示装置の動作の一例を示す概略フローチャートである。
【図１３】本発明の第５の実施の形態による情報提示システム中の携帯型情報提示装置の動作の一例を示す概略フローチャートである。
【発明を実施するための形態】
【００９３】
以下、本発明による情報提示システム、携帯型情報提示装置、記録媒体及びプログラムについて、図面を参照して説明する。
【００９４】
［第１の実施の形態］
【００９５】
図１は、本発明の第１の実施の形態による情報提示システム１の概略構成を示すブロック図である。
【００９６】
本実施の形態による情報提示システム１は、携帯型情報提示装置２と、所定箇所に設置され情報が記録された記録媒体としてのＱＲコード（登録商標）等の二次元コード３と、ネットワーク４を介して携帯型情報提示装置２と通信するサーバ５と、を備えている。ネットワーク４の種類は限定されず、ネットワーク４は、例えば、インターネットでもよいし、ローカルネットワークでもよい。
【００９７】
本実施の形態では、二次元コード３には、当該二次元コード３に固有の識別情報が記録されている。本発明では、前記記録媒体として、二次元コード３に代えて、カラーコード、３次元コード、イメージコード、ＲＦＩＤタグ及びその他のＩＣタグなどを用いてもよい。ＲＦＩＤタグとしては、バッテリを持たないパッシブ型のものを用いることが好ましい。
【００９８】
図２は、図１中の二次元コード３の設置状況、図１中の携帯型情報提示装置２の使用状況及び当該携帯型情報提示装置２の使用者１００の進行し得る方向の例を模式的に示す図である。
【００９９】
図２に示す例では、二次元コード３は、ラベル等に印刷されて電柱１０１に貼り付けることにより設置されている。本実施の形態では、二次元コード３は、電柱１０１や通路や建物等の壁面などに、水平を向くように設置される。もっとも、二次元コード３は、使用者１００の携帯型情報提示装置２がほぼ正対した形で二次元コード３を撮影できれば、二次元コード３の表示面が水平から仰俯角を持つ方向を向くように設置してもよい。
【０１００】
本実施の形態では、携帯型情報提示装置２で二次元コード３からこれに記録されている情報を読み取る場合には、図２に示すように、使用者１００は、携帯型情報提示装置２を二次元コード３に正対させて、携帯型情報提示装置２の背面のカメラ１８（図２では図示せず、図１を参照）で二次元コード３を撮影する。
【０１０１】
本実施の形態では、携帯型情報提示装置２は、二次元コード３から読み取った情報に基づいて使用者１００が進行し得る方向等を、携帯型情報提示装置２の前面の表示部１６（図２では図示せず、図１を参照）に表示する。本実施の形態では、使用者１００が進行し得る方向は、図２に示すように、二次元コード３に対する携帯型情報提示装置２の使用者１００の正対方向を水平面に投影した方向を基準とした相対方向として記述される。前記正対方向は二次元コード３の設置方向に応じて定まるので、本実施の形態では、使用者１００が進行し得る方向は、二次元コード３の設置方向を基準とした相対方向として記述されることになる。二次元コード３の設置方向の定義自体は、二次元コード３に対する携帯型情報提示装置２の使用者１００の正対方向でもよいし、当該正対方向を水平面に投影した方向でもよい、当該正対方向に対して一方方向に９０゜をなす方向にしてもよいが、これらに限らない。
【０１０２】
本実施の形態では、図２に示すように、使用者１００が進行し得る方向は、８方向に分類され、二次元コード３に対する携帯型情報提示装置２の使用者１００の正対方向を水平面に投影した方向を前方とし、水平面内におけるその方向から４５゜ずつの７つの方向を、右前方、右方向、右後方、後方、左後方、左方向、左前方としている。もっとも、これに限らず、例えば１６方向などに分類してもよい。
【０１０３】
図３は、矢印Ｘ１方向及びその反対方向である矢印Ｘ２方向に延びる幹線道路１１１の一方の側の歩道の電柱１０１に、二次元コード３が設置された例を示している。この二次元コード３に対する携帯型情報提示装置２の使用者１００の正対方向は、図３に示すようになっている。この図３に示す例では、使用者１００が進行し得る矢印Ｘ１の方向及び矢印Ｘ２の方向は、先の記述に従って、それぞれ右方向及び左方向となる。
【０１０４】
図４は、幹線道路１１２とこれに直角に交差する幹線道路１１３との交差点付近の電柱１０１に、二次元コード３が設置された例を示している。幹線道路１１２は矢印ＸＡ方向及びその反対方向である矢印ＸＣ方向に延び、幹線道路１１３は矢印ＸＢ方向及びその反対方向である矢印ＸＤ方向に延びている。この二次元コード３に対する携帯型情報提示装置２の使用者１００の正対方向は、図４に示すようになっている。この図４に示す例では、使用者１００が進行し得る矢印ＸＡの方向、矢印ＸＢの方向、矢印ＸＣの方向及び矢印ＸＤの方向は、先の記述に従って、それぞれ後方、左方向、前方及び右方向となる。図４において、［Ａ］、［Ｂ］、［Ｃ］及び［Ｄ］は、それぞれ矢印ＸＡの方向の行先、矢印ＸＢの方向の行先、矢印ＸＣの方向の行先及び矢印ＸＤの方向の行先を、抽象的に示している。
【０１０５】
本実施の形態では、携帯型情報提示装置２は、図１に示すように、ＣＰＵ１１と、ＲＯＭ１２と、ＲＡＭ１３と、フラッシュメモリ等の記憶装置１４と、ネットワーク４との間で通信を行ってネットワーク４を介してサーバ５と通信を行う通信部１５と、表示部１６及び操作部１７を兼用するタッチパネルと、背面に設けられたカメラ１８と、スピーカ１９と、計時機能（時計機能）を有し現在時刻情報を出力する計時部２０と、これらを相互に接続するバス２１とを備えている。
【０１０６】
また、本実施の形態では、サーバ５は、コンピュータで構成され、図１に示すように、ＣＰＵ３１と、ＲＯＭ３２と、ＲＡＭ３３と、ハードディスクやＳＳＤ等の記憶装置３４と、ネットワーク４と接続し携帯型情報提示装置２と通信するための通信部３５とを備えている。記憶装置３４には、所定のプログラムが予めインストールされており、ＣＰＵ３１が当該プログラムを読み込んで実行することによって、以下に説明する機能等が実現されるようになっている。
【０１０７】
本実施の形態では、サーバ５は、ネットワーク４を介して携帯型情報提示装置２から被収集情報を収集する情報収集用サーバとしても機能する。もっとも、本発明では、このような情報収集用サーバは、サーバ５と別個に設けてもよい。前記被収集情報については後述する。
【０１０８】
本実施の形態では、スマートフォンや携帯電話機やタブレットなどの携帯情報端末装置を構成するコンピュータに、サーバ５の記憶装置３４からネットワーク４を介してダウンロードしたプログラム（アプリケーションソフトウェア）が記憶装置１４に予めインストールされ、操作部１７の所定の操作に応じてＣＰＵ１１が当該プログラムを実行することによって、携帯型情報提示装置２としての以下に説明する機能等が実現されるようになっている。もっとも、本発明による携帯型情報提示装置は、携帯情報端末装置等を利用しない専用の装置として構成してもよい。
【０１０９】
本実施の形態では、携帯型情報提示装置２は、操作部１７の所定の操作によって、前記被収集情報の携帯型情報提示装置２からサーバ５へ送信を許可するか否かを設定したりその設定の変更を行ったりすることができるようになっている。その設定状態は、記憶装置１４に記憶されている。本実施の形態では、携帯型情報提示装置２は、前記被収集情報の携帯型情報提示装置２からサーバ５へ送信が許可されていることを条件として、その送信を行う。
【０１１０】
本実施の形態では、各二次元コード３に記録されている識別情報毎に、当該識別情報に関連づけられた所定の情報が携帯型情報提示装置２の記憶装置１４に予め格納されている。本実施の形態では、このような各識別情報に関連づけられた各所定の情報は、サーバ５の記憶装置３４に記憶されており、そのうち、携帯型情報提示装置２により要求される範囲（例えば、所望の区域や所望の施設や所望の観光地など）に設置されている二次元コード３に関する情報が、ダウンロードされて携帯型情報提示装置２の記憶装置１４内に予め格納される。
【０１１１】
本実施の形態では、前記所定の情報として、当該識別情報の二次元コード３の位置、当該識別情報の二次元コード３の位置付近から携帯型情報提示装置２を携帯した使用者１００が歩行により進行し得る少なくとも１つの方向及び当該方向の行先に関する情報、並びに、企業等の広告情報を含み、これらの同じ内容についてそれぞれ文字テキストと音声（文字テキストから音声合成する場合には音声は不要）の情報を含み、これらの同じ内容についてそれぞれ複数の言語（例えば、日本語、英語、中国語）による情報を含んでいる。なお、二次元コード３の位置（設置位置）は、例えば、住所（番地等を含んでもよい。）で表したものでもよいし、緯度・経度で表したものでもよいし、○×○通りの何番目の交差点かを示すような符号で表したものでもよいし、○○駅や△□美術館前などの名称で表したものでもよく、位置の表現形式は何ら限定されない。
【０１１２】
前記進行し得る少なくとも１つの方向は、当該識別情報の二次元コード３の位置付近から携帯型情報提示装置２を携帯した使用者１００が歩行により進行し得る全ての方向であることが好ましく、通常は複数の方向とされる。本実施の形態では、前記進行し得る少なくとも１つの方向は、先の記述に従って、二次元コード３の設置方向を基準とした相対方向とされる。もっとも、本発明では、前記進行し得る少なくとも１つの方向は、例えば、地磁気の情報等に基づいて特定される絶対的な方位（東西南北等の絶対的な方位）そのものでもよい。
【０１１３】
前記当該方向の行先に関する情報は、行先のみでよいし、例えば当該行先までの距離を含んでもよい。
【０１１４】
なお、二次元コード３には、当該二次元コード３の設置方向（例えば、二次元コード３に対する携帯型情報提示装置２の使用者１００の正対方向を水平面に投影した方向）を、例えば、地磁気の情報等に基づいて特定される絶対的な方位（東西南北等の絶対的な方位）で記録しておいてもよい。この場合、例えば、当該二次元コード３を設置する際に、当該二次元コード３から設置方向を読み出してその方向を確認してその方向に設置することが可能となる。
【０１１５】
図５は、図１中の携帯型情報提示装置２の動作の一例を示す概略フローチャートである。
【０１１６】
携帯型情報提示装置２は、動作を開始すると、図６に示すような表示画面を表示部に表示１６させる。図６は、図１中の携帯型情報提示装置２の二次元コード３読み取り前の状態の表示画面の一例を示す図である。図６に示す表示画面は、背面のカメラ１８の視野の画像（図示せず）に、二次元コード３を内側に収めるべき枠を示すマーク５１を重畳させたものである。使用者１００は、携帯型情報提示装置２を所望の二次元コード３に接近させてマーク内に二次元コード３の像がほどよく収まった状態にして、使用者１００が操作部１７により読み取り開始を指令すると、ＣＰＵ１１は、カメラにより当該二次元コード３の画像を取得し、その画像をデーコードすることで、当該二次元コード３から当該二次元コード３の識別情報を読み取る（ステップＳ１）。
【０１１７】
次に、ＣＰＵ１１は、記憶装置１４に記憶されている前記設定情報に基づいて、被収集情報の当該携帯型情報提示装置２からサーバ５への送信が許可されているか否かを判定する（ステップＳ２）。許可されていればステップＳ３へ移行する一方、許可されていなければステップＳ４へ移行する。
【０１１８】
ステップＳ３において、ＣＰＵ１１は、被収集情報をネットワーク４を介してサーバ５への送信を待機する送信待機状態とする。ステップＳ３の後、ステップＳ４へ移行する。本実施の形態では、前記被収集情報は、当該携帯型情報提示装置２が当該識別情報を読み取ったことを示す情報を含んでいる。前記被収集情報は、その読み取り時刻、当該携帯型情報提示装置２の使用者１００の属性（例えば、性別、年齢、住居地域等）、前記使用者１００に関するその他の情報、及び、当該携帯型情報提示装置２に関する情報（例えば、メーカ、機種など）のうちの、少なくとも一部を含んでもよい。なお、本実施の形態では、識別情報が読み取られたときに当該識別情報に関連して提示される前記所定の情報は、サーバ５には既知であるため、その所定の情報は前記被収集情報に含める必要はない。もっとも、情報収集用サーバがサーバ５とは別個に設けられる場合には、被収集情報に前記所定の情報を含めてもよい。
【０１１９】
図面には示していないが、ステップＳ３で送信待機状態とされた被収集情報であって未送信の被収集情報が存在する場合には、ＣＰＵ１１は、定期的に通信部１５がネットワーク４に対して通信可能となってサーバ５とのネットワーク４を介した通信可能状態となったか否かを定期的にチェックして、通信可能状態となったら、未送信の被収集情報をサーバ５へ送信する。サーバ５は、携帯型情報提示装置２から送信された被収集情報を記憶装置３４に格納し、種々のデータ解析に供する。
【０１２０】
ステップＳ４において、ＣＰＵ１１は、ステップＳ１で読み取られた識別情報に関連づけられた前記所定の情報を、前記記憶装置１４から読み出す。
【０１２１】
その後、ＣＰＵ１１は、表示部１６及び／又はスピーカ１９を制御して、ステップＳ４で読み出した所定の情報を提示する（ステップＳ５）。
【０１２２】
例えば、ステップＳ１で図３中の二次元コード３から識別情報を読み取った場合には、ステップＳ５において、ＣＰＵ１１は図７に示す表示画面を表示部１６に表示させる。図７は、図１中の携帯型情報提示装置２の情報提示状態の表示画面の一例を模式的に示す図である。図７の場合、図３中の矢印Ｘ１（右方向）の行先が「都立現代美術館」と「木場公園」であり、図３中の矢印Ｘ２（左方向）の行先が「清澄庭園」と「清澄通り」であるものとし、当該二次元コード３の位置（設置位置）（すなわち、読み取った携帯型情報提示装置２の使用者１００の現在地）が住所である「東京都江東区三好○−□−△」であるものとしている。図７では省略しているが、図７中の下部の領域Ｒ４には、前記所定の情報に含まれている広告が表示されている。なお、図７に示す表示画面における背景部分には、カメラ１８の視野の画像を表示してもよい。
【０１２３】
また、図７に示す表示画面において、各国の国旗を表示した領域Ｒ１，Ｒ２，Ｒ３は、言語選択領域である。ただし、図面表記の便宜上、各国の国旗の表記は省略している。図７は、日本語の領域Ｒ１が選択された状態（選択的に太線で囲まれた状態）を示しており、図７中の各文字が日本語表記されている。ＣＰＵ１１は、英語の領域Ｒ２が押されると、その領域Ｒ２が選択的に太線で囲まれて、図７中の各文字が英語表記となるように、表示部１６を制御する。また、ＣＰＵ１１は、中国語の領域Ｒ３が押されると、その領域Ｒ３が選択的に太線で囲まれて、図７中の各文字が中国語表記となるように、表示部１６を制御する。
【０１２４】
さらに、図７に示す表示画面において、丸い音声選択領域Ｒ５が押されて音声が選択され、更に右方向選択領域Ｒ６（及び／又は右方向の矢印の領域）が押されて右方向が選択されると、ＣＰＵ１１は、「右方向は都立美術館や木場公園です」という音声が発音されるように、スピーカ１９を制御する。この音声は、各言語の選択領域Ｒ１，Ｒ２，Ｒ３の選択状態により定まる言語の音声とされる。また、図７に示す表示画面において、丸い音声選択領域Ｒ５が押されて音声が選択され、更に左方向選択領域Ｒ７（及び／又は左方向の矢印の領域）が押されて左方向が選択されると、ＣＰＵ１１は、「左方向は清澄庭園や清澄通りです」という音声が発音されるように、スピーカ１９を制御する。この音声は、各言語の選択領域Ｒ１，Ｒ２，Ｒ３の選択状態により定まる言語の音声とされる。
【０１２５】
また、例えば、ステップＳ１で駅構内の所定箇所に設置された二次元コード３から識別情報を読み取った場合には、ステップＳ５において、ＣＰＵ１１は図８に示す表示画面を表示部１６に表示させる。図８は、図１中の携帯型情報提示装置２の情報提示状態の表示画面の他の例を模式的に示す図である。図８の場合、右方向の行先が「Ｂ２出口」を経由した「都立現代美術館」と「木場公園」であり、左方向の行先が「Ａ３，Ｂ１出口」を経由した「清澄庭園」と「清澄通り」であるものとし、当該二次元コード３の位置（設置位置）が名称である「清澄白河駅（半蔵門線）」であるものとしている。図８において、図７中の領域と同一又は対応する領域には同一符号を付し、その重複する説明は省略する。
【０１２６】
また、例えば、ステップＳ１で図４中の二次元コード３から識別情報を読み取った場合には、ステップＳ５において、ＣＰＵ１１は図９に示す表示画面を表示部１６に表示させる。図９は、図１中の携帯型情報提示装置２の情報提示状態の表示画面の更に他の例を模式的に示す図である。図９の場合、図４中の矢印ＸＡ（後方）の行先が「［Ａ］」であり、図４中の矢印ＸＢ（左方向）の行先が「［Ｂ］」であるものとし、図４中の矢印ＸＣ（前方）の行先が「［Ｃ］」であり、図４中の矢印ＸＤ（左方向）の行先が「［Ｄ］」であるものとし、当該二次元コード３の位置（設置位置）（すなわち、読み取った携帯型情報提示装置２の使用者１００の現在地）が住所である「東京都江東区三好□−△−○」であるものとしている。図９において、図７中の領域と同一又は対応する領域には同一符号を付し、その重複する説明は省略する。
【０１２７】
なお、ステップＳ５で提示すべき情報量が多い場合には、例えば、スクロール表示や階層的な表示などを用いてもよい。
【０１２８】
図５中のステップＳ５の後、ＣＰＵ１１は、使用者が操作部１７により終了操作を行ったか否かを判定する（ステップＳ６）。終了操作が行われていなければ、ステップＳ５へ戻り、終了操作が行われていれば、一連の動作を終了する。
【０１２９】
本実施の形態によれば、所定箇所に設置され識別情報が記録された二次元コード３に携帯型情報提示装置２を接近させた状態で、携帯型情報提示装置２の情報読み取り手段（ステップＳ４に相当）により当該二次元コード３から前記識別情報が読み取られ、当該読み取られた前記識別情報に関連づけられた所定の情報が、情報提示手段（ステップＳ４，Ｓ５に相当）によって、携帯型情報提示装置２の記憶装置１４から読み出されて提示される。
【０１３０】
したがって、本実施の形態によれば、所望の正確な位置でその位置に応じた情報を提示することができ、しかも、当該位置において二次元コード３を設置すればよいので、前記従来の記載板に比べて、当該位置での設置スペースが少なくて済む。
【０１３１】
また、本実施の形態によれば、提示される前記所定の情報は、二次元コード３から読み取られる識別情報に関連づけられ携帯型情報提示装置２の記憶装置１４から読み出されたものであって、少なくとも情報提示時にはネットワーク４を介してサーバ等から供給されるものではないため、少なくとも情報提示時にはネットワーク４を介した通信の可能・不能に拘わらずに、適切に情報を提示することができる。
【０１３２】
さらに、本実施の形態によれば、提示する所定の情報が前記記録媒体ではなく前記記憶部に記憶されているので、前記記憶部の記憶容量が大きければ、提示する所定の情報の量を増大させることができる。
【０１３３】
さらにまた、本実施の形態によれば、記憶装置１４に記憶されている所定の情報を変更することによって、二次元コード３に記録されている情報を変更することなく、提示される所定の情報を変更することができる。
【０１３４】
また、本実施の形態によれば、携帯型情報提示装置２を携帯した使用者１００が進行し得る方向とその行先とが提示されるので、道案内され、道に迷う可能性が少なくなる。また、使用者１００が進行する方向や経路は使用者１００が自身で決定することになるので、サーバ等が現在地と目的地とから自動的に経路を演算するような場合に比べて、サーバ等の演算負担がない上に、使用者が自由に散策を楽しんだりすることも可能となる。なお、本実施の形態では、必ずしも現在地を提示する必要はない。
【０１３５】
また、本実施の形態によれば、二次元コード３に携帯型情報提示装置２を接近させた状態で、携帯型情報提示装置２により当該二次元コード３から、前記所定の情報に関連づけられた識別情報が読み取られるので、読み取った二次元コード３が設置されている位置は、当該携帯型情報提示装置２の使用者１００の現在位置を正確に示すことになる。したがって、本実施の形態によれば、当該携帯型情報提示装置２の使用者１００の現在位置を提示することができる。本実施の形態では、進行し得る方向と行先のみならず、現在地（識別情報を読み取った二次元コード３の位置）も提示されるので、道に迷う可能性がより一層少なくなる。
【０１３６】
本実施の形態において、前述したように二次元コード３に当該二次元コード３の設置方向を記録しておいた場合には、ステップＳ１において当該二次元コード３から当該設置方向も読み取り、ステップＳ５で当該設置方向も提示してもよい。この場合、携帯型情報提示装置２の使用者１００は、前記進行し得る少なくとも１つの方向を理解し易くなる。
【０１３７】
さらに、本実施の形態によれば、前記進行し得る少なくとも１つの方向が、二次元コード３に対する携帯型情報提示装置２の使用者１００の正対方向を水平面に投影した方向を基準として提示されるので、携帯型情報提示装置２の使用者１００は、前記進行し得る少なくとも１つの方向を、直感的に理解し易い。本実施の形態において、二次元コード３又は記憶装置１４に当該二次元コード３に対する携帯型情報提示装置２の使用者１００の正対方向又は当該正対方向を水平面に投影した方向を記録しておき、ステップＳ２でその方向を二次元コード３から読み取るかあるいはステップＳ４でその方向を記憶装置１４から読み出し、ステップＳ５で二次元コード３に対する携帯型情報提示装置２の使用者１００の正対方向を水平面に投影した方向も提示してもよい。この場合、携帯型情報提示装置２の使用者１００は、前記進行し得る少なくとも１つの方向を、より直感的に理解し易くなる。
【０１３８】
さらにまた、本実施の形態によれば、図７乃至図９に示すように、ステップＳ５において、二次元コード３に対する携帯型情報提示装置２の使用者１００の正対方向を水平面に投影した方向を前方又は画面上方として、前記進行し得る少なくとも１つの方向を提示している。したがって、本実施の形態によれば、ステップＳ５において、二次元コード３に対する携帯型情報提示装置２の使用者１００の正対方向を水平面に投影した方向を提示しなくても、携帯型情報提示装置２の使用者１００は、前記進行し得る少なくとも１つの方向を、直感的に理解し易くなる。本実施の形態においても、ステップＳ５において、二次元コード３に対する携帯型情報提示装置２の使用者１００の正対方向を水平面に投影した方向を提示してもよく、この場合には、携帯型情報提示装置２の使用者は、前記進行し得る少なくとも１つの方向を、より一層直感的に理解し易くなる。
【０１３９】
また、本実施の形態によれば、携帯型情報提示装置２が二次元コード３から読み取ったことを少なくとも一部に含む前記被収集情報がサーバ５に収集されるので、当該情報を多数集めて解析することによって、種々の傾向や事実（例えば、通過人数の多い経路など）等を知ることができる。
【０１４０】
さらに、本実施の形態によれば、前記被収集情報の携帯型情報提示装置２からサーバ５への送信は、携帯型情報提示装置２の使用者１００の許可を得たことを条件とするので、プライバシー保護の観点から好ましい。
【０１４１】
さらにまた、本実施の形態によれば、広告も提示されるので、広告効果を高めることができる。
【０１４２】
［第２の実施の形態］
【０１４３】
本発明の第２の実施の形態による情報提示システムは、前記第１の実施の形態による情報提示システム１を以下に説明するように改変したものである。
【０１４４】
本実施の形態では、携帯型情報提示装置２の記憶装置１４に予め格納されている前記所定の情報は、当該二次元コード３の位置と、当該位置を含む地図を示す地図情報と、企業等の広告情報を含んでいる。なお、前記所定の情報には、当該位置の標高などを含んでもよく、ステップＳ５でそれらも提示してもよい。
【０１４５】
そして、本実施の形態では、ステップＳ５において、携帯型情報提示装置２のＣＰＵ１１は、表示部１６を制御して、ステップＳ４で読み出した所定情報（本実施の形態では、当該二次元コード３の位置（すなわち、使用者１００の現在地）と前記地図情報）を提示する。このとき、ＣＰＵ１１は、前記地図情報が示す地図上に当該二次元コード３の位置（すなわち、使用者１００の現在地）を表した表示画面を、表示部１６に表示させる。本実施の形態では、ＣＰＵ１１は、広告も表示させる。
【０１４６】
図１０は、その表示画面の一例、すなわち、本発明の第２の実施の形態による情報提示システム中の携帯型情報提示装置２の情報提示状態の表示画面の一例を模式的に示す図である。
【０１４７】
図１０に示す例では、二次元コード３は山地の木などに設置され、前記地図は二次元コード３の位置を含む山地の地図となっている。図１０では省略しているが、図１０の下部の領域Ｒ４には、前記所定の情報に含まれている広告が表示されている。
【０１４８】
本実施の形態における地図情報は、山地の地図に限らず、駅構内の地図、空港内の地図、ショッピングモール内の地図、テーマパークの地図、その他の施設内の地図、地下街の地図、商店街の地図、観光地の地図及び山地の地図のうちの少なくとも１つの地図を示す情報であってもよい。
【０１４９】
本実施の形態によれば、地図上に現在位置を表した表示画面が提示されるので、使用者１００は現在位置を理解し易くなる。
【０１５０】
［第３の実施の形態］
【０１５１】
本発明の第３の実施の形態による情報提示システムは、前記第１の実施の形態による情報提示システム１を以下に説明するように改変したものである。
【０１５２】
本実施の形態では、二次元コード３は、説明対象の付近に設置されている。
【０１５３】
また、本実施の形態では、携帯型情報提示装置２の記憶装置１４に予め格納されている前記所定の情報は、当該識別情報の二次元コード３の付近の説明対象を説明する説明情報、及び、企業等の広告情報を含み、これらの同じ内容についてそれぞれ文字テキストと音声（文字テキストから音声合成する場合には音声は不要）の情報を含み、これらの同じ内容についてそれぞれ複数の言語（例えば、日本語、英語、中国語）による情報を含んでいる。
【０１５４】
そして、本実施の形態では、ステップＳ５において、携帯型情報提示装置２のＣＰＵ１１は、表示部１６を制御して、ステップＳ４で読み出した所定情報（説明情報と広告）を提示する。
【０１５５】
例えば、ステップＳ４で説明対象としての伏見稲荷の付近に設置された二次元コード３から識別情報を読み取った場合には、ステップＳ５において、ＣＰＵ１１は図１１に示す表示画面を表示部１６に表示させる。図１１は、本発明の第３の実施の形態による情報提示システム中の携帯型情報提示装置２の情報提示状態の表示画面の一例を模式的に示す図である。図１１の場合、領域Ｒ１１において「私たちにとっても、・・・親しまれています。その総本宮が伏見稲荷大社です。」という説明文が表示されている。図１１では省略しているが、図１１中の下部の領域Ｒ４には、前記所定の情報に含まれている広告が表示されている。
【０１５６】
また、図１１に示す表示画面において、各国の国旗を表示した領域Ｒ１，Ｒ２，Ｒ３は、言語選択領域である。ただし、図面表記の便宜上、各国の国旗の表記は省略している。図１１は、日本語の領域Ｒ１が選択された状態（選択的に太線で囲まれた状態）を示しており、図１１中の領域Ｒ１の各文字が日本語表記されている。ＣＰＵ１１は、英語の領域Ｒ２が押されると、その領域Ｒ２が選択的に太線で囲まれて、図１１中の領域Ｒ１１の各文字が英語表記となるように、表示部１６を制御する。また、ＣＰＵ１１は、中国語の領域Ｒ３が押されると、その領域Ｒ３が選択的に太線で囲まれて、図１１中の領域Ｒ１１の各文字が中国語表記となるように、表示部１６を制御する。
【０１５７】
さらに、図１１に示す表示画面において、丸い音声選択領域Ｒ５が押されて音声が選択されると、ＣＰＵ１１は、「私たちにとっても、・・・親しまれています。その総本宮が伏見稲荷大社です。」という音声が発音されるように、スピーカ１９を制御する。この音声は、各言語の選択領域Ｒ１，Ｒ２，Ｒ３の選択状態により定まる言語の音声とされる。
【０１５８】
本実施の形態によれば、説明対象の付近で適切な説明情報を提示することができる。
【０１５９】
なお、前記説明対象は、伏見稲荷大社のような神社仏閣のみならず、例えば、史跡、建築物内の各部屋、文化財の各一点、美術館や博物館等の各展示品などでもよい。
【０１６０】
［第４の実施の形態］
【０１６１】
本発明の第４の実施の形態による情報提示システムは、前記第１の実施の形態による情報提示システム１を以下に説明するように改変したものである。
【０１６２】
前記第１の実施の形態では、各二次元コード３に記録されている識別情報毎に、当該識別情報に関連づけられた前記所定の情報が携帯型情報提示装置２の記憶装置１４に予め格納されているのに対し、本実施の形態では、前記所定の情報は、携帯型情報提示装置２の記憶装置１４には格納されておらずに、サーバ５の記憶装置３４に格納されており、前記所定の情報は、携帯型情報提示装置２の要求に応じてサーバ５からネットワーク４を介して携帯型情報提示装置２に供給される。したがって、本実施の形態では、携帯型情報提示装置２とサーバ５とは、情報提示時においてもネットワーク４を介して通信可能であることを前提としている。近年は、地下街や施設内等であってもＷｉ−Ｆｉ等によってネットワーク４を介した通信は可能であることが多い。
【０１６３】
これに伴い、本実施の形態では、携帯型情報提示装置２は、図１２に示すように動作する。図１２は、本発明の第４の実施の形態による情報提示システム中の携帯型情報提示装置２の動作の一例を示す概略フローチャートである。
【０１６４】
本実施の形態では、携帯型情報提示装置２は、動作を開始すると、図５中のステップＳ１と同じく、当該二次元コード３から当該二次元コード３の識別情報を読み取る（ステップＳ１１）。
【０１６５】
次に、携帯型情報提示装置２のＣＰＵ１１は、記憶装置１４に記憶されている前記設定情報に基づいて、被収集情報の当該携帯型情報提示装置２からサーバ５への送信が許可されているか否かを判定する（ステップＳ１２）。許可されていればステップＳ１３へ移行する一方、許可されていなければステップＳ１４へ移行する。
【０１６６】
ステップＳ１３において、ＣＰＵ１１は、通信部１５によって、前記被収集情報をネットワーク４を介してサーバ５へ送信する。サーバ５は、携帯型情報提示装置２から送信された被収集情報を記憶装置３４に格納し、種々のデータ解析に供する。
【０１６７】
ステップＳ１４において、ＣＰＵ１１は、ステップＳ１で読み取られた識別情報に関連づけられた前記所定の情報の要求を、通信部１５によって、ネットワーク４を介してサーバ５に送出する。サーバ５のＣＰＵ３１は、この要求に応じて、ステップＳ１で読み取られた識別情報に関連づけられた前記所定の情報を、記憶装置３４から読み出して、通信部３５によって、ネットワーク４を介して当該携帯型情報提示装置２へ送出する。
【０１６８】
ステップＳ１４の後に、ＣＰＵ１１は、ステップＳ１４の要求に応じて、サーバ５から、ステップＳ１で読み取られた識別情報に関連づけられた前記所定の情報を受領したか否かを判定し、受領していなければ受領するまで待ち、受領すると、ステップＳ１６へ移行する。
【０１６９】
ステップＳ１６において、ＣＰＵ１１は、図５中のステップＳ５と同様に、表示部１６及び／又はスピーカ１９を制御して、受領した情報（ステップＳ１で読み取られた識別情報に関連づけられた前記所定の情報）を提示する。
【０１７０】
その後、ＣＰＵ１１は、使用者が操作部１７により終了操作を行ったか否かを判定する（ステップＳ１７）。終了操作が行われていなければ、ステップＳ１６へ戻り、終了操作が行われていれば、一連の動作を終了する。
【０１７１】
本実施の形態によっても、前記第１の実施の形態と同様の利点が得られる。
【０１７２】
前記第１の実施の形態を改変して前記第２の実施の形態を得たのと同様の改変を、本実施の形態に対して適用してもよい。ただし、山地においては、携帯型情報提示装置２の通信部１５がネットワーク４に対して通信不能であることが多いので、その適用は現実的ではない。しかしながら、前記第２の実施の形態における地図情報が、駅構内の地図、空港内の地図、ショッピングモール内の地図、テーマパークの地図、その他の施設内の地図、地下街の地図、商店街の地図及び観光地の地図であるような場合には、携帯型情報提示装置２の通信部１５がネットワーク４に対して通信可能であることが多いので、その適用は現実的である。
【０１７３】
また、前記第１の実施の形態を改変して前記第３の実施の形態を得たのと同様の改変を、本実施の形態に対して適用してもよい。
【０１７４】
［第５の実施の形態］
【０１７５】
本発明の第５の実施の形態による情報提示システムは、前記第１の実施の形態による情報提示システム１を以下に説明するように改変したものである。
【０１７６】
前記第１の実施の形態では、二次元コード３には、識別情報が記録されているものの前記所定の情報は記録されておらず、各二次元コード３に記録されている識別情報毎に、当該識別情報に関連づけられた前記所定の情報が携帯型情報提示装置２の記憶装置１４に予め格納されているのに対し、本実施の形態では、前記所定の情報は、携帯型情報提示装置２の記憶装置１４には格納されておらずに、二次元コード３に記録されており、携帯型情報提示装置２によって二次元コード３から読み取られる。本実施の形態では、二次元コード３の管理を容易にするためと前記被収集情報をサーバ５へ送信するのに用いるために、二次元コード３には識別情報も記録している。もっとも、前記被収集情報をサーバ５へ送信しない場合は、二次元コード３には識別情報を必ずしも記録しておく必要はない。
【０１７７】
これに伴い、本実施の形態では、携帯型情報提示装置２は、図１３に示すように動作する。図１３は、本発明の第５の実施の形態による情報提示システム中の携帯型情報提示装置２の動作の一例を示す概略フローチャートである。
【０１７８】
本実施の形態では、携帯型情報提示装置２は、動作を開始すると、図５中のステップＳ１と同様にして、当該二次元コード３から当該二次元コード３の識別情報及び前記所定の情報を読み取る（ステップＳ２１）。
【０１７９】
次に、携帯型情報提示装置２のＣＰＵ１１は、記憶装置１４に記憶されている前記設定情報に基づいて、被収集情報の当該携帯型情報提示装置２からサーバ５への送信が許可されているか否かを判定する（ステップＳ２２）。許可されていればステップＳ２３へ移行する一方、許可されていなければステップＳ２４へ移行する。
【０１８０】
ステップＳ２３において、ＣＰＵ１１は、前記被収集情報をネットワーク４を介してサーバ５への送信を待機する送信待機状態とする。ステップＳ２３の後、ステップＳ２４へ移行する。
【０１８１】
図面には示していないが、ステップＳ２３で送信待機状態とされた被収集情報であって未送信の被収集情報が存在する場合には、ＣＰＵ１１は、定期的に通信部１５がネットワーク４に対して通信可能となってサーバ５とのネットワーク４を介した通信可能状態となったか否かを定期的にチェックして、通信可能状態となったら、未送信の被収集情報をサーバ５へ送信する。サーバ５は、携帯型情報提示装置２から送信された被収集情報を記憶装置３４に格納し、種々のデータ解析に供する。
【０１８２】
ステップＳ２４において、ＣＰＵ１１は、図５中のステップＳ５と同様に、ステップＳ２１で読み取られた前記所定の情報を、表示部１６及び／又はスピーカ１９を制御して、受領した情報（ステップＳ１で読み取られた識別情報に関連づけられた前記所定の情報）を提示する。
【０１８３】
その後、ＣＰＵ１１は、使用者が操作部１７により終了操作を行ったか否かを判定する（ステップＳ２５）。終了操作が行われていなければ、ステップＳ２４へ戻り、終了操作が行われていれば、一連の動作を終了する。
【０１８４】
本実施の形態によっても、前記第１の実施の形態と同様の利点が得られる。
【０１８５】
前記第１の実施の形態を改変して前記第２及び第３の実施の形態を得たのと同様の改変を、本実施の形態に対して適用してもよい。
【０１８６】
以上、本発明の各実施の形態及びその変形例について説明したが、本発明はこれらに限定されるものではない。
【符号の説明】
【０１８７】
１  情報提示システム
２  携帯型情報提示装置
３  二次元コード（記録媒体）
４  ネットワーク
【図１】
2020112368.tif 000003
【図２】
2020112368.tif 000004
【図３】
2020112368.tif 000005
【図４】
2020112368.tif 000006
【図５】
2020112368.tif 000007
【図６】
2020112368.tif 000008
【図７】
2020112368.tif 000009
【図８】
2020112368.tif 000010
【図９】
2020112368.tif 000011
【図１０】
2020112368.tif 000012
【図１１】
2020112368.tif 000013
【図１２】
2020112368.tif 000014
【図１３】
2020112368.tif 000015